(57)【要約】【課題】撮影レンズのマニュアル絞り設定装置で設定された絞り値を検出できなくても、適正露出を可能にするカメラシステムを提供する。【解決手段】撮影レンズの絞り装置を絞り込ませる絞り込み装置と、撮影レンズを通して受光した被写体光により測光する測光手段を備えたカメラであって、露出前に前記絞り込み装置を作動させ、該絞り込み装置が作動した状態で前記測光手段に測光させる制御手段と、前記絞り込み装置が作動した状態で前記測光手段が測光した測光値に基づいて適正露出値を演算する演算手段を備えた。【選択図】  図６
2005189602.tif 000002
【特許請求の範囲】
【請求項１】
撮影レンズの絞り装置が絞り操作環を備えている場合において、該絞り操作環が自動絞り設定の場合は開放測光し、該絞り操作環が固定絞り設定の場合は外部操作手段の操作を受けて絞り込み測光すること、を特徴とするカメラシステム。
【請求項２】
撮影レンズの絞り装置を絞り込ませる絞り込み装置と、撮影レンズを通して受光した被写体光により測光する測光手段とを備えたカメラシステムであって、
撮影レンズの絞り装置が絞り操作環を備えている場合において、前記絞り操作環が自動絞り設定の場合は前記測光手段に開放測光させ、前記絞り操作環が固定絞り設定の場合は、前記外部操作手段の操作を受けたときに前記絞り込み装置を作動させて前記測光手段に絞り込み測光させる制御手段を備えたこと、を特徴とするカメラシステム。
【請求項３】
前記測光手段が前記絞り込み測光した測光値に基づいて適正シャッタ速度を演算する演算手段を備えた請求項２記載のカメラシステム。
【請求項４】
前記制御手段は、露出モードとして選択可能な、前記外部操作手段が操作されたときに前記絞り込み測光させる特定露出モードを備え、該特定露出モードが選択された状態で前記操作手段が操作されたときに、前記絞り込み装置に絞り込み動作させて前記測光手段に絞り込み測光させ、前記演算手段に該絞り込み測光値に基づいて適正シャッタ速度を演算させる請求項３記載のカメラシステム。
【請求項５】
撮影レンズの絞り操作環が自動絞り位置にあるか否か検出する検出手段を備え、前記制御手段は、前記検出手段が自動絞り位置にないと検出し、前記外部操作手段が操作されたときに前記絞り込み装置を作動させて前記測光手段に絞り込み測光させ、前記演算手段に該絞り込み測光値に基づいて適正シャッタ速度を演算させる請求項３または４記載のカメラシステム。
【請求項６】
前記演算手段は、絞り込み測光のときは、前記絞り込み測光値とＩＳＯ感度と基準絞り値に基づいてシャッタ速度を演算する請求項２乃至５のいずれか一項に記載のカメラシステム。
【請求項７】
前記演算手段が演算したシャッタ速度を表示する表示手段を備えている請求項３乃至６のいずれか一項記載のカメラシステム。
【請求項８】
前記演算手段が演算したシャッタ速度を記憶する記憶手段を備え、該記憶手段が記憶したシャッタ速度で露出する請求項３乃至７のいずれか一項に記載のカメラシステム。
【請求項９】
撮影レンズの着脱が可能なカメラボディを備えた一眼レフカメラシステムである請求項１乃至８のいずれか一項に記載のカメラシステム。
【発明の詳細な説明】
【技術分野】
【０００１】
撮影レンズの着脱が可能なカメラシステムに関する。
【背景技術】
【０００２】
現在の多くの一眼レフカメラは、カメラボディは撮影レンズの絞りを絞り込む絞り込み装置を備え、撮影レンズは、カメラボディの絞り込み装置により絞り込まれる自動絞り込み装置を備えている（特許文献１、２、３）。
【０００３】
自動絞り込み装置を備えた撮影レンズは、カメラボディ側で絞りを設定するオート絞り設定と撮影レンズ側で絞り値を設定するマニュアル絞り設定との選択が可能なマニュアル絞り設定装置や、マニュアル絞り設定しかできないマニュアル絞り設定装置を備えたものや、マニュアル絞り設定装置を備えていないものもある。
【０００４】
一方、カメラボディの中には、撮影レンズから開放絞り値情報を入力することはできても、撮影レンズのマニュアル設定絞り機構で設定された絞り値を検出できないものもある。つまり、撮影レンズのマニュアル絞り設定装置、例えば絞り設定環と連動して絞り環の回動位置によって設定される絞り値を検出する検出機構を備えていないカメラボディも存在する。
【０００５】
また、一眼レフカメラカメラボディの中には、撮影前に撮影レンズの絞り装置を絞り込ませる絞り込む装置を備えたものもある（特許文献２）。
【特許文献１】特開平5-61095号公報
【特許文献２】特許第3153482号公報（図１乃至図５）
【特許文献３】特開2001-109032号公報（図２）
【発明の開示】
【発明が解決しようとする課題】
【０００６】
しかし、撮影レンズの開放絞り値やマニュアル絞り設定装置により設定された絞り値を検知する手段が無いカメラボディの場合は、撮影レンズのマニュアル絞り設定装置により設定された設定絞り値に連動させて露出計、測光手段を作動させて適正露出値を設定することができなかった。
【０００７】
本発明は、かかる従来のカメラボディの問題に鑑みてなされたもので、撮影レンズのマニュアル絞り設定装置で設定された絞り値を検出できなくても、適正露出を可能にするカメラシステムを提供することを目的とする。
【課題を解決するための手段】
【０００８】
かかる課題を解決する本発明のカメラシステムは、撮影レンズの絞り装置が絞り操作環を備えている場合において、該絞り操作環が自動絞り設定の場合は開放測光し、該絞り操作環が固定絞り設定の場合は外部操作手段の操作を受けて絞り込み測光することに特徴を有する。
【０００９】
本発明は、撮影レンズの絞り装置を絞り込ませる絞り込み装置と、撮影レンズを通して受光した被写体光により測光する測光手段とを備えたカメラシステムであって、撮影レンズの絞り装置が絞り操作環を備えている場合において、前記絞り操作環が自動絞り設定の場合は前記測光手段に開放測光させ、前記絞り操作環が固定絞り設定の場合は、前記外部操作手段の操作を受けたときに前記絞り込み装置を作動させて前記測光手段に絞り込み測光させる制御手段を備えたことに特徴を有する。
【００１０】
実際的には、前記測光手段が前記絞り込み測光した測光値に基づいて適正シャッタ速度を演算する演算手段を備える。
【００１１】
前記制御手段は、露出モードとして選択可能な、前記外部操作手段が操作されたときに前記絞り込み測光させる特定露出モードを備え、該特定露出モードが選択された状態で前記操作手段が操作されたときに、前記絞り込み装置に絞り込み動作させて前記測光手段に絞り込み測光させ、前記演算手段に該絞り込み測光値に基づいて適正シャッタ速度を演算させる。
【００１２】
撮影レンズの絞り操作環が自動絞り位置にあるか否か検出する検出手段を備え、前記制御手段は、前記検出手段が自動絞り位置にないと検出し、前記外部操作手段が操作されたときに前記絞り込み装置を作動させて前記測光手段に絞り込み測光させ、前記演算手段に該絞り込み測光値に基づいて適正シャッタ速度を演算させる。
【００１３】
前記演算手段は、絞り込み測光のときは、前記絞り込み測光値とＩＳＯ感度と基準絞り値に基づいてシャッタ速度を演算する。
好ましい実施形態では、演算手段が演算したシャッタ速度を表示する表示手段を備える。そうして、演算手段が演算したシャッタ速度を記憶する記憶手段を備え、該記憶手段が記憶したシャッタ速度で露出する。
【００１４】
本発明は、撮影レンズの着脱が可能なカメラボディを備えた一眼レフカメラシステムに適用できる。
【発明の効果】
【００１５】
本発明は、撮影レンズの絞り装置を絞り込ませて測光するので、撮影レンズのマニュアル絞り設定装置で設定された絞り値を検出しなくても適正な露出値を得ることができる。
【発明を実施するための最良の形態】
【００１６】
以下、図面に基づき本発明の実施の形態を説明する。本発明を適用した一眼レフカメラの外観正面図を図１に、平面図を図２に示した。カメラボディ１０の正面ほぼ中央にはボディマウント６１が装着され、ボディマウント６１の表面に、撮影レンズ１００のレンズマウント面に設けられた端子群と接続される情報端子群６３が設けられている。カメラボディ１０内にはクイックリターンミラー６５が配置され、クイックリターンミラー６５の左側には、撮影レンズの絞り連動杆の運動を制御する絞り作動杆６７が配置されている。このカメラボディ１０は、撮影レンズのマニュアル絞り設定装置、通常は絞り環、により設定された絞り値を検出する絞り値検出手段を備えていない。
【００１７】
カメラボディ１０の上面に左側には、シャッターボタン６９が配置され、シャッタボタン６９を囲むように、回動式の電源レバー７１が配置されている。さらにシャッタボタン６９の後方には、外部操作手段としてグリーンボタン７３と、外部液晶ディスプレイ７５が配置されている。
【００１８】
電源レバー７１は、回動操作可能に構成され、ＯＦＦ位置およびＯＮ位置でクリックストップされ、さらにＯＮ位置からＯＦＦ位置とは逆方向のプレビュー位置に、ばね付勢に力に抗して回動可能に形成されている。電源レバー７１がＯＮ位置方向に回動操作されるとＯＮ位置でクリックストップされてメインスイッチＳＷＭがＯＮする。電源レバー７１がさらにプレビュー位置方向に回動操作されると、メインスイッチＳＷＭはＯＮ状態を維持して、プレビュースイッチＳＷＰがＯＮする。
【００１９】
グリーンボタン７３は押しボタンスイッチからなる外部操作手段であって、グリーンボタン７３が押し込み操作されると、グリーンスイッチＳＷＧがＯＮする。
【００２０】
プレビュースイッチＳＷＰまたはグリーンスイッチＳＷＧがＯＮすると、絞り作動杆６７が開放位置に移動し、撮影レンズの絞りが絞り込まれる。
この実施形態では、レンズセット絞り優先露出モードが設定されているときにグリーンボタン７３がオン操作されてグリーンスイッチＳＷＧがＯＮしたときはさらに、絞り制御回路１９を作動させて撮影レンズの絞りを絞り込んだ状態で測光演算処理、つまりいわゆる絞り込み測光演算処理が実行され、測光値とＩＳＯ感度等に基づいて適正シャッタ速度が演算され、撮影に使用するシャッタ速度としてＲＡＭにメモリされる。この処理により、撮影レンズのマニュアル絞り込み装置により絞り込まれた絞り値による適正露出が可能になる。
【００２１】
図３に、この一眼レフカメラボディ１０に内蔵した制御系の主要構成の一実施形態をブロック図として示した。この制御系は、バスラインを介して相互に接続されたＣＰＵ１１とＤＰＵ１３を備えていて、ＣＰＵ１１及びＤＰＵ１３は、カメラボディ１０のシステム全体を総括的に制御する制御手段としての機能を有している。
【００２２】
ＣＰＵ１１は、装着された撮影レンズがレンズＣＰＵ１０１を搭載した撮影レンズ１００の場合は、レンズ１０１との間で、マウント面に設けられた情報接点群６３を介して通信を行う。撮影レンズ１００には、レンズ種別情報、開放絞り値及び最小絞り値情報、焦点距離情報など、その撮影レンズ固有のレンズ情報が格納されていて、これらの撮影レンズ情報がレンズＣＰＵ１０１とＣＰＵ１１の通信によりＣＰＵ１１に読み込まれる。ＤＰＵ１３は、装着された撮影レンズ１００に電源を供給する。
【００２３】
さらに本実施形態では、撮影レンズの絞り操作環が自動絞り位置（オート位置）から固定絞り位置（マニュアル設定位置）に回動されたときは、その旨の信号が情報接点群６３を介してレンズＣＰＵ１０１からＣＰＵ１１に伝達される。ＣＰＵ１１は、この信号を受けて、絞りレンズマニュアルである旨を識別する。
【００２４】
ＣＰＵ１１は、カメラの機能に関するプログラム等が書き込まれたＲＯＭ及び各種パラメータ、レンズ情報などを一時的に記憶するＲＡＭ１１ａを内蔵している。ＣＰＵ１１は、カメラボディ１０のシステム全体を総括的に制御する制御手段のほかに、設定手段、レリーズ制御手段、判定手段としての機能またはその一部の機能や、測光演算、露出演算などを実行する演算手段としての機能を有する。
【００２５】
ＣＰＵ１１には、装着された撮影レンズ１００を介して入射した被写体光を受光して、被写体輝度を測定する分割測光ＩＣ１５、焦点状態を測定するＡＦＩＣ１７が接続されている。
【００２６】
分割測光ＩＣ１５は、受光領域が１６分割されていて、各受光領域毎に、受光量に応じて光電変換した電気信号を、測光信号（被写体輝度Ｂｖ）としてＣＰＵ１１に出力する。ＣＰＵ１１は、入力した被写体輝度Ｂｖ及びＩＳＯ感度Ｓｖ等に基づいて所定の露出演算（ＡＥ演算）を実行して適正露出値Ｅｖ、露出モードに応じて適正シャッタ速度Ｔｖ及び適正絞り値Ａｖを算出する。さらにＣＰＵ１１は、絞り値Ａｖに基づいて、絞り制御回路１９が絞り込み機構を駆動して撮影レンズ１００の絞りを絞り込む際に絞り込み量に応じて出力するパルス（以下「ＥＥパルス」）の数も算出する。算出したＥＥパルス数は、ＤＰＵ１３に転送される。
【００２７】
ＤＰＵ１３は、転送されたＥＥパルス数に基づいて、絞り制御回路１９を作動させて絞り込み機構を駆動し、絞り制御回路１９から出力されるＥＥパルスをカウントし、カウント数が演算したＥＥパルス数と一致したときに絞り制御回路１９により絞り込み機構を停止させる。絞り制御回路１９は、絞り込み機構を作動させる電磁アクチュエータを備え、該電磁アクチュエータにより絞り込み機構を駆動する。
【００２８】
絞り込み機構としては、特許文献２、３に開示された絞り込み機構など公知の機構を使用できる。例えば、撮影レンズの絞り機構の絞り連動杆と連係する絞り作動杆６７を、絞り込み位置方向から作用して絞り開放位置に保持するカム機構と、該カム機構を駆動する電磁アクチュエータを備えている。絞り作動杆６７は絞り込み方向にばね付勢されていて、カム機構により絞り込み位置から絞り開放位置方向に規制されている。絞り作動杆６７は、常時は絞り開放・自動絞り位置に保持されていて、撮影レンズの絞り連動杆を絞り開放位置に保持している。
【００２９】
電磁アクチュエータがカム機構を絞り込み位置まで作動させると、絞り作動杆６７がばね付勢力により絞り込み位置まで移動可能な状態になり、撮影レンズの絞り連動杆がばね付勢力により絞り込み位置方向に移動するのを許容する。電磁アクチュエータがカム機構を絞り開放位置まで作動させると、絞り作動杆６７がばね付勢力に抗して絞り開放位置まで移動させられる。その際絞り作動杆６７は、撮影レンズの絞り連動杆を絞り開放位置まで強制的に移動させる。
【００３０】
この絞り込み機構は、絞り作動杆６７の移動に連動してＥＥパルスを出力するフォトインタラプタと、絞り作動杆６７が絞り込み位置方向に移動するの制限する電磁ラッチ機構を備えている。レリーズ時には、電磁アクチュエータがカム機構を絞り開放位置まで作動させると、絞り作動杆６７が絞り開放位置方向に移動する。絞り作動杆６７の移動に連動してフォトインタラプタからＥＥパルスが出力されるので、このＥＥパルスをＤＰＵ１３がカウントして所定数と一致したときに電磁ラッチ機構を作動させて絞り作動杆６７を停止させる。この停止処理により、撮影レンズの絞り連動杆はそれ以上絞り込み方向に移動できなくなるので、絞りがその絞り込み位置に設定される。
【００３１】
ＡＦＩＣ１７は、位相差検出方式のＣＣＤラインセンサを複数列備えている。各ＣＣＤラインセンサは、瞳分割方式により領域毎に分割された一対の被写体像を受光して輝度信号にかかるビデオ信号に変換し、ＣＰＵ１１に出力する。ＣＰＵ１１は、一対のビデオ信号の位相差からデフォーカス量を演算し、さらにデフォーカス量を０にするために必要なＡＦモータ２３の駆動方向および駆動量を演算する。ここで駆動量は、ＡＦモータ２３の駆動に連動するＡＦ制御フォトインタラプタ２５から出力されるＡＦパルス数として算出される。ＡＦモータ２３はモータドライバ２１を介して駆動され、ＡＦモータ２３の回転は、図示しないＡＦ駆動機構を介して撮影レンズ１００のＡＦ伝達機構に伝達される。ＡＦ伝達機構は、所定のＡＦカム機構を駆動してフォーカシングレンズ群を光軸方向に移動させる。
【００３２】
また、このカメラボディ制御回路は、クイックリターンミラー（メインミラー）をアップ・ダウンさせるミラーアップ・ダウンモータ２７を備えている。ＣＰＵ１１は、モータドライバ２１を介してこのミラーアップ・ダウンモータ２７を駆動し、ミラーをアップさせ、ダウンさせる。
【００３３】
さらにＣＰＵ１１には、ＥＥＰＲＯＭ２９、シャッタ３１、ボディ外面に設けられた外部液晶ディスプレイ７５およびファインダ内に設けられたＬＣＤを制御するＬＣＤ制御回路３３およびその照明３３ａ、シャッタボタン７３に連動したシャッタスイッチ３５（測光スイッチＳＷＳおよびレリーズスイッチＳＷＲ）、電源レバー７１に連動したスイッチ３７（電源スイッチＳＷＭおよびプレビュースイッチＳＷＰ）、裏蓋開閉スイッチ、電子ダイヤルスイッチなどのスイッチ３９が接続されている。ＥＥＰＲＯＭ２９には、撮影に関する各種データが格納され、それらのデータは適時にＣＰＵ１１により読み出される。ＬＣＤ駆動回路３３は、外部ＬＣＤ７５、ファインダ内ＬＣＤ（図示せず）の撮影モード、シャッタ速度、絞り値、撮影枚数、バッテリ状態などカメラ情報表示を制御する。測光スイッチＳＷＳは、シャッタボタン３５の半押しでＯＮし、レリーズスイッチＳＷＲは、シャッタボタン３５の全押しでＯＮする。
【００３４】
ＤＰＵ１３には、グリーンボタン７３に連動するグリーンスイッチＳＷＧや、ドライブモードスイッチ、ストロボモードスイッチ、ストロボアップ検知スイッチなどのスイッチ４７が接続されている。ＤＰＵ１３は、スイッチ４７から入力した各スイッチ情報に応じてカメラボディ１０の状態を設定する。
【００３５】
さらにＤＰＵ１３には、内蔵ストロボ回路４３が接続されている。ＤＰＵ１３は、ＣＰＵ１１からの指示に基づいて、内蔵ストロボ回路４３を制御し、発光させる。
【００３６】
次に、カメラボディ１０の主要動作について図４及び図５に示したフローチャートを参照してより詳細に説明する。これらのフローチャートは、ＣＰＵ１１が内蔵ＲＯＭに書き込まれたプログラムによって制御する処理である。
【００３７】
図４は、カメラボディ１０のメイン処理であって、バッテリ（不図示）が装填されているときの処理である。ＣＰＵ１１は、バッテリが装填されると、内部レジスタ、各入出力ポート、内蔵ＲＡＭなどを初期化し（Ｓ１１）、ＥＥＰＲＯＭ２９に書き込まれた全内容を読み込む（Ｓ１３）。以上の処理は、バッテリが装填されたときに、１回だけ実行する処理である。その後は、パワーホールドオフ（ＰＨｏｆｆ）時の初期設定を実行する処理（Ｓ１５）以降の処理を繰り返す。
【００３８】
次にＣＰＵ１１は、接続されているスイッチのＯＮ／ＯＦＦ状態を入力し（Ｓ１７）、メインスイッチＳＷＭがオフしているかどうかをチェックする（Ｓ１９）。メインスイッチＳＷＭがオフしているときは（Ｓ１９；Ｙ）、電源ｏｆｆ処理を実行し（Ｓ２１）、電源ｏｆｆ時の表示処理（Ｓ２３）を実行してＳ１９に戻り、メインスイッチＳＷＭがＯＮするのを待つ。
【００３９】
メインスイッチＳＷＭがＯＮすると（Ｓ１９；Ｎ）、電源ＯＮ処理を実行して撮影動作可能状態とし（Ｓ２５）、１２５msタイマをスタートさせ（Ｓ２７）、入力したモード設定等に関するスイッチのＯＮ状態に対応する処理を実行し（Ｓ２９）、電源オン状態における表示処理を実行する（Ｓ３１）。この表示処理は、例えば、外部ＬＣＤに、撮影モード、撮影可能枚数、バッテリ状態などを表示する。
【００４０】
測光スイッチＳＷＳ、プレビュースイッチＳＷＰ、またはグリーンスイッチＳＷＧがＯＮしているかどうかをチェックする（Ｓ３３）。いずれのスイッチもＯＮしていない場合は１２５ms経過するのを待つ（Ｓ３３；Ｎ、Ｓ３５；Ｎ、Ｓ３５）。１２５ms経過したら、ソフトタイマをカウントアップしてＳ１７に戻る（Ｓ３５；Ｙ、Ｓ３７、Ｓ１７）。つまり、１２５msタイマは、メインスイッチＳＷＭおよび他のスイッチ状態を定期的にチェックする周期を設定するタイマであって、メインスイッチＳＷＭがＯＮしている状態では、１２５ms毎にスイッチ状態をチェックするのである。
【００４１】
測光スイッチＳＷＳ、プレビュースイッチＳＷＰ、グリーンスイッチＳＷＧのいずれかがＯＮしたときは、バッテリチェック処理を実行する（Ｓ３３；Ｙ、Ｓ３９）。そうして、バッテリがＮＧであった場合はＳ１７に戻る（Ｓ４１；Ｙ、Ｓ１７）。バッテリがＮＧでなかった場合はPH_on_loop処理に入る（Ｓ４１；Ｙ、Ｓ４３）。PH_on_loop処理を終了すると、Ｓ１５に戻る。
【００４２】
『PH_on_loop処理』
図５は、PH_on_loop処理をフローチャートで示す図である。PH_on_loop処理に入ると、まず、ＰＨＯＮループ変数を初期化し（Ｓ１０１）、１２５msタイマをスタートさせる（Ｓ１０３）。ここで、ＰＨＯＮループ変数は、ＰＨＯＮループを何回実行するかの回数をＰＨタイマに設定する値であって、１２５msタイマは、ＡＦ処理を繰り返す周期を設定するタイマである。以後、測光スイッチＳＷＳがＯＮしている間等、一定の条件下でＳ１０５乃至Ｓ１３３の処理を１２５ms周期で繰り返し、ＰＨＯＮループ変数で設定された回数繰り返したらリターンする。
【００４３】
ＣＰＵ１１は、各スイッチの状態を入力し、ＯＮしているスイッチの状態に応じた処理を実行する（Ｓ１０５、Ｓ１０７）。例えば、シャッタ速度、絞り値の変更などである。
【００４４】
次に、測光オフ条件かどうかをチェックする（Ｓ１０９）。測光オフ条件とは、測光スイッチＳＷＳ、グリーンスイッチＳＷＧおよびプレビュースイッチＳＷＰがオフしている場合である。測光オフ条件の場合は、スタート処理にリータンする（Ｓ１０９；Ｙ、ＲＥＴ）。
【００４５】
測光オフ条件でない場合は、レンンズ通信を実行して、レンズ種別、開放絞り値、最大絞り値、焦点距離などレンズ情報を入力する（Ｓ１０９；Ｎ、Ｓ１１１）。次に、分割測光ＩＣを制御して被写体輝度を測定し、Ａ／Ｄ変換して被写体輝度Ｂｖ情報を得る開放測光を実行する（Ｓ１１３）。この被写体輝度Ｂｖ情報と、ＩＳＯ感度Ｓｖ等により露出演算（ＡＥ演算）を実行して露出用のシャッタ速度および絞り値を算出し、算出した値をＬＣＤ３３に表示し、その照明３３ａをオン（点灯）する（Ｓ１１５、Ｓ１１７、Ｓ１１９）。
【００４６】
プレビューチェック処理（Ｓ１２１）を実行する。このプレビューチェック処理では、絞り制御回路１９に絞り込み動作させて、撮影レンズの絞りを絞り込む。プレビュースイッチＳＷＰがＯＮして入ったときは絞り込みだけであるが、グリーンスイッチＳＷＧがＯＮして入ったときは、絞り込んだ状態で測光、つまり絞り込み測光処理を実行する。
次に、ＡＦ処理を実行し、撮影レンズの焦点調節レンズを合焦位置まで移動させる（Ｓ１２３）。
【００４７】
合焦処理が終了すると、レリーズスイッチＳＷＲがオンしているかどうかをチェックする（Ｓ１２５）。レリーズスイッチＳＷＲがオンしていればレリーズ処理を実行してからＳ１２９に進み（Ｓ１２５；Ｙ、Ｓ１２７、Ｓ１２９）、レリーズスイッチＳＷＲがオンしていなければレリーズ処理をスキップしてＳ１２９に進む（Ｓ１２５；Ｎ、Ｓ１２９）。
【００４８】
Ｓ１２９では、ＰＨタイマをカウントダウンし、ＰＨＯＮループ終了かどうか、つまりＰＨタイマが０であるかどうかをチェックする（Ｓ１２９、Ｓ１３１）。ＰＨＯＮループ終了の場合はリターンする（Ｓ１３１；Ｙ、ＲＥＴ）。ＰＨＯＮループ終了でない場合はソフトタイマをカウントアップしてＳ１０５に戻る（１３１；Ｙ、Ｓ１３３、Ｓ１０５）。このソフトタイマは、１２５ms毎にカウントアップするタイマである。
【００４９】
『プレビューチェック処理』
次に、Ｓ１２１で実行されるプレビューチェック処理について、図６に示したフローチャートを参照してより詳細に説明する。このプレビューチェック処理は、プレビュースイッチＳＷＰまたはグリーンスイッチＳＷＧがＯＮされたときに絞り制御回路１９を駆動して絞り作動杆６７を絞り込み許容位置まで移動させて、撮影レンズの絞り装置がマニュアル絞り設定装置により設定された絞り値まで絞り込ませる。さらに、グリーンスイッチＳＷＧがＯＮされて入ったときは絞り込み測光処理、つまり絞り込んだ状態で測光してＡＥ演算処理を実行する。
【００５０】
プレビューチェック処理に入ると、まず、プレビュースイッチＳＷＰがＯＮしているかどうかをチェックする（Ｓ２０１）。プレビュースイッチＳＷＰがＯＮしていればＳ２０５に飛び（Ｓ２０１；Ｙ、Ｓ２０５）、プレビュースイッチＳＷＰがＯＮしていなければレンズセットマニュアルモードかつグリーンスイッチがＯＮしたかどうかをチェックする（Ｓ２０１；Ｎ、２０３）。レンズセットマニュアルモードかつグリーンスイッチがＯＮした場合はＳ２０５に進む（Ｓ２０３；Ｙ、Ｓ２０５）。プレビュースイッチＳＷＰがＯＮしておらず、かつレンズセットマニュアルモードでないかグリーンスイッチＳＷＧがＯＮしていない場合はリターンする（Ｓ２０１；Ｎ、Ｓ２０３；Ｎ、ＲＥＴ）。
【００５１】
レンズセットマニュアルモードとは、絞り値を撮影レンズのマニュアル絞り設定装置（絞り操作環）で設定するモードである。絞り値は、絞り操作環の回動位置によって絞りが設定され、固定される。絞り値およびシャッタ速度の両方をマニュアル設定するマニュアル露出モードの場合と、シャッタ速度は自動設定する絞り優先露出モードの場合があるが、ここではマニュアル露出モードについて説明する。
【００５２】
Ｓ２０５でプレビュー中フラグをセットし、プレビュー処理を実行する（Ｓ２０７）。プレビュー処理とは、絞り制御回路１９を駆動して、撮影レンズの絞りをマニュアル絞り設定装置で設定された絞り値、または絞りオートの場合はＣＰＵ１１が設定した設定絞り値まで絞り込ませる処理である。このプレビュー処理により、撮影レンズの絞りが設定された絞り値まで絞り込まれる。
【００５３】
そうして、レンズセットマニュアルモードかつグリーンスイッチＳＷＧがＯＮしたかどうかをチェックする（Ｓ２０９）。ＯＮしていた場合はＳ２１１に進み（Ｓ２０９；Ｙ、Ｓ２１１）、ＯＮしていなかった場合はＳ２３３に進む（Ｓ２０９；Ｎ、Ｓ２３３）。レンズセットマニュアルモードとは、絞り値を撮影レンズの絞りマニュアル設定装置で設定するモードであって、本実施形態では、レンズセット絞り優先露出モードとレンズセットマニュアル露出モード、およびフラッシュレンズセット絞り優先露出モードとフラッシュレンズセットマニュアル露出モードを備えている。
【００５４】
『プレビュー』
プレビュースイッチＳＷＰはＯＮしているが、レンズセットマニュアルモードでグリーンスイッチＳＷＧがＯＮしていない場合（Ｓ２０９；Ｎ）の処理について説明する。
【００５５】
Ｓ２３３に進むと、照明をオフする。次にスイッチ状態を入力し、プレビュースイッチＳＷＰがＯＮしているかどうかをチェックする（Ｓ２３５；Ｓ２３７）。プレビュースイッチＳＷＰがＯＮしているときは、照明をオフし、１２５ms経過するとのを待つ（Ｓ２３７；Ｙ、Ｓ２３９、Ｓ２４１；Ｎ、Ｓ２４１）。１２５ms経過したらソフトタイマをカウントアップしてＳ２３５に戻る（Ｓ２４１；Ｙ、Ｓ２４３、Ｓ２３５）。
【００５６】
プレビュースイッチＳＷＰがＯＮしていなかった場合は、プレビュー解除処理を実行し、プレビュー中フラグをクリアしてリターンする（Ｓ２３７；Ｎ、Ｓ２４５、Ｓ２４７、ＲＥＴ）。プレビュー解除処理では、絞り制御回路１９が電磁アクチュエータを絞り開放状態まで駆動して、絞り作動杆６７を絞り開放位置まで戻す処理である。このプレビュー解除処理により、撮影レンズの絞り装置は開放位置に復帰する。
【００５７】
『絞り込み測光』
レンズセットマニュアルモードかつグリーンスイッチＳＷＰまたはプレビュースイッチＳＷＰがＯＮした場合は（Ｓ２０９；Ｙ）、まず１２５msタイマをスタートさせる（Ｓ２１１）。次に、スイッチ状態を入力し、ＯＮしたスイッチに対応する処理を実行し、レンズ通信を実行してレンズ情報を入力する（Ｓ２１３、Ｓ２１５、Ｓ２１７）、分割測光ＩＣを制御して被写体輝度を測定し、Ａ／Ｄ変換して被写体輝度Ｂｖ情報を得る（Ｓ２１９）。ここで得られる被写体輝Ｂｖ情報は、撮影レンズのマニュアル絞り設定装置によって設定された絞りまで絞り込んだ状態で得られた被写体輝度Ｂｖである。この絞り込み被写体輝度Ｂｖと、ＩＳＯ感度Ｓｖ等により露出演算（ＡＥ演算）を実行して露出用のシャッタ速度および絞り値を算出し、算出した値をＬＣＤ３３に表示し、照明３３ａをオン（点灯）する（Ｓ２２１、Ｓ２２３、Ｓ２２５）。つまり交換レンズ側で設定されている絞り値に対し、絞り込み測光により得られた適正なシャッタ速度を表示する。
【００５８】
次にプレビュースイッチＳＷＰがＯＮしているかどうかをチェックする（Ｓ２２７）。プレビュースイッチＳＷＰがＯＮしているときは、１２５ms経過するのを待つ（Ｓ２２７；Ｙ、Ｓ２２９；Ｎ、Ｓ２２９）。１２５ms経過したらソフトタイマをカウントアップしてＳ２１３に戻る（Ｓ２２９；Ｙ、Ｓ２３１、Ｓ２１３）。プレビュースイッチＳＷＰがＯＮしていないときは、プレビュー解除処理を実行し、プレビュー中フラグをクリアしてリターンする（Ｓ２２７；Ｎ、Ｓ２４５、Ｓ２４７）。ここでプレビュー解除処理は、絞り制御回路１９を停止させて、絞り作動杆６７を開放位置まで戻す処理である。
【００５９】
『ＡＥ演算』
Ｓ１１５、Ｓ２２１において実行されるＡＥ演算処理について、図７に示したフローチャートを参照して説明する。
ＡＥ演算処理に入ると、まず、演算で使用する変数を初期化する（Ｓ３０１）。次にフラッシュが発光可能かどうかフラッシュ状態をチェックする（Ｓ３０３）。レンズ通信で入力したレンズ種別データに基づいてレンズ別補正値を算出する（Ｓ３０５）。
【００６０】
搭載された分割測光ＩＣ１５の個体差を調整する調整値をＥＥＰＲＯＭ２９から読み出して、測光した被写体輝度Ｂｖを調整値により補正して調整被写体輝度Ｂｖｄを求め、調整被写体輝度Ｂｖｄとレンズ別補正値から分割測光アルゴリズムによる露出値Ｌｖｄ′を演算する（Ｓ３０７、Ｓ３０９、Ｓ３１１）。
そうして、これらの絶対的輝度Ｌｖｄ′とＩＳＯ感度と露出補正値とにより露出値Ｌｖｄを演算する（Ｓ３１３）。
【００６１】
次に、フラッシュ撮影かどうか判断し、フラッシュ撮影でない場合は定常光ＡＥ演算（noromal_ae）により露出値を演算し（Ｓ３１５；Ｎ、Ｓ３１９）、フラッシュ撮影の場合はフラッシュ光ＡＥ演算（flash_ae）により露出値を演算する（Ｓ３１５；Ｙ、Ｓ３１７）。演算した絞り値に基づいて、絞り制御用パルス数（ＥＥパルス）を算出してリターンする（Ｓ３２１、ＲＥＴ）。
【００６２】
『定常光ＡＥ』
Ｓ３１９で実行される定常光ＡＥ演算処理について、図８を参照して説明する。この処理は、設定された露出モード（aemode）に応じた露出モードにより適正シャッタ速度および絞り値を算出する処理である。つまり、設定された露出モードが、プログラム露出モードであるか（Ｓ４０１）、ＥＥ露出モードであるか（Ｓ４０５）、ボディセットＥＳ露出モードであるか（Ｓ４０９）、レンズセットＥＳ露出モードであるか（Ｓ４１１）、ボディセットマニュアル露出モードであるか（Ｓ４１７）、レンズセットマニュアル露出モードであるか（Ｓ４２１）、ボディセットバルブ露出モードであるか（Ｓ４２９）、レンズセットバルブモードであるか（Ｓ４３３）をチェックする。そうして、設定された露出モードに対応した、プログラム露出演算（Ｓ４０３）、シャッタ速度優先露出演算（Ｓ４０７）、ボディセット絞り優先露出演算（Ｓ４１１）、レンズセット絞り優先露出演算（Ｓ４１５）、ボディセットマニュアル露出演算（Ｓ４１９）、レンズセット絞り優先露出演算（Ｓ４２５）またはレンズセットマニュアル露出演算（Ｓ４２７）、ボディセットバルブ露出演算（Ｓ４３１）、レンズセットバルブ露出演算（Ｓ４３５）により適正シャッタ速度および適正絞り値等を演算し、設定する。設定されたシャッタ速度および絞り値はＲＡＭ１１ａにメモリされ、ＬＣＤ制御回路３３により外部液晶ディスプレイ７５およびファインダ内ＬＣＤに表示される。
【００６３】
レンズセットマニュアル露出モードの場合は、グリーンスイッチＳＷＧがオフからオンに変化したかどうかをチェックする（Ｓ４２１；Ｙ、Ｓ４２３）。グリーンスイッチＳＷＧがオフからオンに変化した場合は、レンズセット絞り優先露出演算処理によりシャッタ速度を算出する（Ｓ４２３；Ｙ、Ｓ４２５）。グリーンスイッチＳＷＧがオフからオンに変化していない場合は、レンズセットマニュアル露出によりシャッタ速度を算出する（Ｓ４２３；Ｎ、Ｓ４２７）。
【００６４】
レンズセット絞り優先露出とは、絞りは撮影レンズのマニュアル絞り設定装置によって設定し、設定された絞り値に基づいて適正シャッタ速度を演算して設定する絞り優先自動露出モードである。
レンズセットマニュアル露出とは、絞りを撮影レンズのマニュアル絞り設定装置により設定し、シャッタ速度はカメラボディ１０によりマニュアル設定された値を設定するマニュアル露出モードである。
【００６５】
『レンズセット絞り優先露出演算』
Ｓ４１５、Ｓ４２５で実行されるレンズセット絞り優先露出演算処理について、図１０に示したフローチャートを参照して説明する。
この処理に入ると、まず、基準レンズのＦＮＯ．のアペックス表示値を演算絞り値calavdに代入する（Ｓ６０１）。基準レンズのＦＮＯ．としては、例えばＦ１．４相当の値が設定される。
【００６６】
次に、Ｓ３１３で演算した露出値Lvdから演算絞り値calavdを減算して、演算シャッタ速度caltvdを求める（Ｓ６０３）。
Caltvd＝Lvd - calavd
【００６７】
さらに、演算シャッタ速度caltvdが、３０秒のアペックス表示値未満（最長シャッタ速度より遅いまたは最長露出時間よりも長い）かどうか、１／４０００秒のアペックス表示値よりも大きいか（最速シャッタ速度より速いか）どうかをチェックする（Ｓ６０５、Ｓ６０９）。演算シャッタ速度caltvdが、３０秒のアペックス表示値未満でなく、かつ１／４０００秒のアペックス表示値よりも大きくなければ、演算シャッタ速度caltvdを設定シャッタ速度Ｔｖｄに代入してリターンする（Ｓ６０５；Ｎ、Ｓ６０９；Ｎ、Ｓ６１３、ＲＥＴ）。
【００６８】
演算シャッタ速度caltvdが３０秒のアペックス表示値未満であった場合は演算シャッタ速度caltvdを３０秒に変更する（Ｓ６０５；Ｙ、Ｓ６０７）。演算シャッタ速度caltvdが１／４０００秒のアペックス表示値よりも大きかった場合は演算シャッタ速度caltvdを１／４０００秒に変更する（Ｓ６０９；Ｙ、Ｓ６１１）。そうして、変更した演算シャッタ速度caltvdを設定シャッタ速度ｔｖｄに代入してリターンする（Ｓ６１３、ＲＥＴ）。
【００６９】
以上の処理（Ｓ６０１〜Ｓ６１１）で設定した演算シャッタ速度caltvdが、設定シャッタ速度Ｔｖｄとして設定され、ＲＡＭ１１ａにメモリされる。そうして、レリーズ（露出）の際に使用される。
【００７０】
『フラッシュ光ＡＥ演算』
Ｓ３１７で実行されるフラッシュ光ＡＥ演算処理について、図９に示したフローチャートを参照して説明する。この処理は、フラッシュ発光する露出モード（flash_ae）のアルゴリズムにより適正シャッタ速度および絞り値を算出する処理である。つまり、先ず、フラッシュ用シャッタ速度の上限値（フラッシュ同期シャッタ速度）を設定し（Ｓ５００）、設定された露出モードが、フラッシュプログラム露出モードであるか（Ｓ５０１）、フラッシュＥＥ露出モードであるか（Ｓ５０５）、フラッシュボディセットＥＳ露出モードであるか（Ｓ５０９）、フラッシュレンズセットＥＳ露出モードであるか（Ｓ５１１）、フラッシュボディセットマニュアル露出モードであるか（Ｓ５１７）、フラッシュレンズセットマニュアル露出モードであるか（Ｓ５２１）、フラッシュボディセットバルブ露出モードであるか（Ｓ５２９）、フラッシュレンズセットバルブモードであるか（Ｓ５３３）をチェックする。そうして、設定された露出モードに対応した、フラッシュプログラム露出演算（Ｓ５０３）、フラッシュシャッタ速度優先露出演算（Ｓ５０７）、フラッシュボディセット絞り優先露出演算（Ｓ５１１）、フラッシュレンズセット絞り優先露出演算（Ｓ５１５）、フラッシュボディセットマニュアル露出演算（Ｓ５１９）、フラッシュレンズセット絞り優先露出演算（Ｓ５２５）またはフラッシュレンズセットマニュアル露出演算（Ｓ５２７）、フラッシュボディセットバルブ露出演算（Ｓ５３１）、フラッシュレンズセットバルブ露出演算（Ｓ５３５）により適正シャッタ速度および適正絞り値等を演算し、設定する。設定されたシャッタ速度および絞り値はＲＡＭ１１ａにメモリされ、ＬＣＤ制御回路３３により外部液晶ディスプレイ７５およびファインダ内ＬＣＤに表示される。
【００７１】
設定された露出モードがレンズセットマニュアル露出モードの場合は、グリーンスイッチＳＷＧがオフからオンに変化したのかどうかをチェックする（Ｓ５２１；Ｙ、Ｓ５２３）。グリーンスイッチＳＷＧがオフからオンに変化した場合は、フラッシュレンズセット絞り優先露出演算処理によりシャッタ速度を算出する（Ｓ５２３；Ｙ、Ｓ５２５）。グリーンスイッチＳＷＧがオフからオンに変化していない場合は、フラッシュレンズセットマニュアル露出によりシャッタ速度を算出する（Ｓ５２３；Ｎ、Ｓ５２７）。
【００７２】
フラッシュレンズセット絞り優先露出とは、絞りは撮影レンズのマニュアル絞り設定装置によって設定し、設定された絞り値に基づいて、フラッシュ発光時の適正シャッタ速度を演算して設定する絞り優先自動露出モードである。
フラッシュレンズセットマニュアル露出とは、絞りは撮影レンズのマニュアル絞り設定装置により設定し、シャッタ速度はカメラボディ１０によりマニュアル設定された値を設定するマニュアル露出モードである。
【００７３】
『フラッシュレンズセット絞り優先露出演算処理』
Ｓ５１５、Ｓ５２５で実行されるレンズセット絞り優先露出演算処理について、図１１に示したフローチャートを参照して説明する。
この処理に入ると、まず、基準レンズのＦＮＯ．のアペックス表示値を演算絞り値calavdに代入する（Ｓ６２１）。
【００７４】
次に、Ｓ３１３で演算した露出値Ｌｖｄから演算絞り値calavdを減算して、演算シャッタ速度caltvdを求める（Ｓ６２３）。
Caltvd＝Lvd - calavd
【００７５】
さらに、演算シャッタ速度caltvdが、３０秒のアペックス表示値未満かどうか、フラッシュ用シャッタ速度上限値（アペックス表示値）よりも大きいかどうかをチェックする（Ｓ６２５、Ｓ６２９）。演算シャッタ速度caltvdが、３０秒のアペックス表示値未満でなく、かつフラッシュ用シャッタ速度上限値（アペックス表示値）より大きくなければ、演算シャッタ速度caltvdを設定シャッタ速度ｔｖｄに代入してリターンする（Ｓ６２５；Ｎ、Ｓ６２９；Ｎ、Ｓ６３３、ＲＥＴ）。
【００７６】
演算シャッタ速度caltvdが３０秒（アペックス表示値）未満であったときは演算シャッタ速度caltvdを３０秒に変更する（Ｓ６２５；Ｎ、Ｓ６２７）。演算シャッタ速度caltvdがフラッシュ用シャッタ速度上限値（アペックス表示値）よりも大きかった場合は演算シャッタ速度caltvdをフラッシュ用シャッタ速度上限値に変更する（Ｓ６２９；Ｙ、Ｓ６３１）。そうして、変更した演算シャッタ速度caltvdを設定シャッタ速度ｔｖｄに代入してリターンする（Ｓ６３３、ＲＥＴ）。
【００７７】
以上の処理（Ｓ６２１〜Ｓ６３１）で設定した演算シャッタ速度caltvdが、設定シャッタ速度Ｔｖｄとされ、ＲＡＭ１１ａにメモリされる。そうして、レリーズ（露出）の際に使用される。
【００７８】
以上の通り本発明の実施形態によれば、撮影レンズの設定絞り値を検出できなくても、グリーンスイッチＳＷＧがオンされると、撮影レンズの絞りを絞り込ませて絞り込ませた状態で測光し、適正シャッタ速度を求めるので、撮影レンズ側で設定された絞り値で適正露出が可能になる。しかも露出の際に絞り込まれる絞りまで絞り込んで測光するので、より適正なシャッタ速度の設定、露出値の設定が可能になる。
【００７９】
本発明の実施形態では、マニュアル露出モードにおいて、撮影レンズの絞り操作環が絞り固定位置に設定された場合にグリーンスイッチＳＷＧがＯＮされたときに絞り込み測光する構成としたが、撮影レンズの絞り操作環が自動絞り設定位置にあるときにプログラム露出モード等の自動露出モードが設定されていても、撮影レンズの絞り操作環が絞り固定位置に設定されたときにグリーンスイッチＳＷＧがＯＮされても絞り込み測光し、適正露出かどうかを表示し、またはレンズセット絞り優先露出モードで適正シャッタ速度を設定する構成にしてもよい。
【００８０】
本発明は、銀塩フィルム一眼レフカメラおよびデジタル一眼レフカメラのいずれにも適用できる。また、本発明は、撮影レンズのマニュアル絞り設定装置で設定された絞り値を検出できるカメラボディにも適用できる。
【図面の簡単な説明】
【００８１】
【図１】本発明を適用した一眼レフカメラのカメラボディの実施形態の正面図である。
【図２】同カメラボディの実施形態の平面図である。
【図３】本発明を適用した一眼レフカメラの制御系の主要回路の実施形態をブロックで示す図である。
【図４】本発明の実施形態のメイン処理をフローチャートで示す図である。
【図５】本発明の実施形態のPH_on_loop処理をフローチャートで示す図である。
【図６】本発明の実施形態のプレビューチェック処理をフローチャートで示す図である。
【図７】本発明の実施形態のＡＥ演算処理をフローチャートで示す図である。
【図８】本発明の実施形態の定常光ＡＥ演算処理をフローチャートで示す図である。
【図９】本発明の実施形態のフラッシュ光ＡＥ演算処理をフローチャートで示す図である。
【図１０】本発明の実施形態のレンズセット絞り優先露出演算処理をフローチャートで示す図である。
【図１１】本発明の実施形態のレンズセット絞り優先露出演算処理をフローチャートで示す図である。
【符号の説明】
【００８２】
１０    カメラボディ
１１    ＣＰＵ
１３    ＤＰＵ
１５    分割測光ＩＣ
１７    ＡＦＩＣ
１９    絞り制御回路
２３    ＡＦモータ
２５    ＡＦ制御フォトインタラプタ
２７    ミラーアップ・ダウンモータ
２９    ＥＥＰＲＯＭ
３３    ＬＣＤ駆動回路
３３ａ  照明
３５    シャッタボタン
３７    スイッチ
３９    スイッチ
６１    ボディマウント
６３    情報端子群
６５    クイックリターンミラー
６７    絞り作動杆
６９    シャッターボタン
７１    電源レバー
７３    グリーンボタン
７５    外部液晶ディスプレイ
１００  撮影レンズ
１０１  レンズＣＰＵ
ＳＷＧ  グリーンスイッチ
ＳＷＭ  電源スイッチ
ＳＷＰ  プレビュースイッチ
ＳＷＲ  レリーズスイッチ
ＳＷＳ  測光スイッチ
【図１】
2005189602.tif 000003
【図２】
2005189602.tif 000004
【図３】
2005189602.tif 000005
【図４】
2005189602.tif 000006
【図５】
2005189602.tif 000007
【図６】
2005189602.tif 000008
【図７】
2005189602.tif 000009
【図８】
2005189602.tif 000010
【図９】
2005189602.tif 000011
【図１０】
2005189602.tif 000012
【図１１】
2005189602.tif 000013